(57)【要約】      （修正有）【課題】給電装置ごとの充電電力を制御する電力制御装置が故障しても、継続して充電電力を制御することができる予備制御装置、予備制御方法、および電力制御システムを提供する。【解決手段】電力制御システムは、電力制御をする電力制御装置１０１と、電力制御装置１０１が故障したときに代わりに電力制御を行なう予備制御装置１０４とを備える。そして、電力制御装置１０１は、電力制御テーブル１０２に格納されている電力制御データを変更するごとに、予備制御装置１０４に変更した電力制御データを送信する。予備制御装置１０４は電力制御データを受信すると、予備制御テーブル１０５に受信した電力制御データを格納する。また、予備制御装置１０４は、電力制御装置１０１に問合せをし、電力制御装置１０１が故障したと判定すると、予備制御テーブル１０５に格納された電力制御データを用いて電力制御をする。【選択図】図１
2013247756.tif 000002
【特許請求の範囲】
【請求項１】
給電装置ごとに供給する電力を制御する電力制御装置に問合せ信号を送信する送信部と、
前記電力制御装置から送信される、電源から供給される電力を前記給電装置ごとに分配する分配部を制御するために用いられる電力制御データと、前記問合せ信号に応答して前記電力制御装置から送信される応答信号とを受信する受信部と、
前記受信部で受信した前記電力制御データを記憶する記憶部と、
前記送信部から前記問合せ信号を送信すると、前記受信部で前記応答信号が受信されたか否かを判定し、前記受信部で前記応答信号が受信されないと判定すると、前記記憶部に記憶された前記電力制御データを用いて前記分配部を制御する制御部と、
を備えることを特徴とする予備制御装置。
【請求項２】
前記制御部は、前記電力制御装置が前記電力制御データを変更するごとに、前記受信部で受信される前記電力制御装置から送信される電力制御データを取得し、前記記憶部に記憶されている電力制御データを、前記取得した電力制御データで書き換えることを特徴とする請求項１に記載の予備制御装置。
【請求項３】
前記電力制御データには、前記電源の電力供給能力の最大値である最大供給電力値と、前記電源から前記各給電装置に供給している電力の値である充電電力値との少なくとも一方が含まれることを特徴とする請求項１または２に記載の予備制御装置。
【請求項４】
前記制御部は、前記送信部から前記問合せ信号を送信した後に、前記受信部で前記応答信号が受信されないと判定すると、前記電源から前記給電装置ごとに供給する電力の値である充電電力値の合計が、前記記憶部に記憶された前記最大供給電力値以内となるように該充電電力値を前記給電装置ごとに割り振り、前記給電装置ごとに対応する該充電電力値の電力を供給するように前記分配部を制御することを特徴とする請求項３に記載の予備制御装置。
【請求項５】
前記制御部は、前記送信部から前記問合せ信号を送信した後に、前記受信部で前記応答信号が受信されないと判定すると、前記記憶部に記憶された前記給電装置ごとに対応する前記充電電力値の電力を供給するように前記電源を制御し、その後に前記給電装置ごとに割り振られた前記充電電力値を変更する場合、前記給電装置ごとに割り振られる前記充電電力値の合計が、前記記憶部に記憶された前記最大供給電力値以内となるように該充電電力値を前記給電装置ごとに割り振り、前記給電装置ごとに対応する前記充電電力値の電力を供給するように前記分配部を制御することを特徴とする請求項３に記載の予備制御装置。
【請求項６】
前記制御部は、前記送信部から前記問合せ信号を送信した後に、前記受信部で前記応答信号が受信されないと判定すると、前記複数の給電装置から前記給電装置ごとに供給されている電力の値である充電電力値を取得し、前記記憶部に記憶されている充電電力値を、前記取得した充電電力値で書き換えることを特徴とする請求項１〜５のいずれか一つに記載の予備制御装置。
【請求項７】
予備制御装置のコンピュータによって実行される制御方法であって、
給電装置ごとに供給する電力を制御する電力制御装置から送信される、電源から供給される電力を前記給電装置ごとに分配する分配部を制御するために用いられる電力制御データを受信し、
前記電力制御データを受信する処理で受信した前記電力制御データを前記予備制御装置が有する記憶部に記憶し、
前記電力制御装置に問合せ信号を送信し、
前記問合せ信号を送信すると、前記問合せ信号に応答して前記電力制御装置から送信される応答信号を受信したか否かを判定し、
前記応答信号を受信したか否かを判定する処理で前記応答信号の受信がないと判定すると、前記記憶部に記憶された前記電力制御データを用いて前記分配部を制御することを特徴とする予備制御方法。
【請求項８】
給電装置ごとに供給する電力の制御をする電力制御システムにおいて、
前記給電装置ごとに供給する電力の制御をする電力制御装置は、
電源から供給される電力を前記給電装置ごとに分配する分配部を制御するために用いられる電力制御データと、問合せ信号に応答して送信する応答信号とを、前記電力制御装置が故障すると前記電力制御装置に代わって、電源から前記給電装置ごとに供給する電力を制御する予備制御装置に送信する第１の送信部と、
前記予備制御装置から送信される前記問合せ信号を受信する第１の受信部と、
前記電力制御データを記憶する第１の記憶部と、
前記第１の受信部で、前記問合せ信号を受信したか否かを判定する第１の判定部と、
を備え、
前記予備制御装置は、
前記電力制御装置に前記問合せ信号を送信する第２の送信部と、
前記電力制御装置から送信される前記電力制御データと、前記第１の判定部において前記問合せ信号を受信したと判定したときに前記電力制御装置から送信される前記応答信号とを受信する第２の受信部と、
前記第２の受信部で受信した前記電力制御データを記憶する第２の記憶部と、
前記第２の送信部から前記問合せ信号を送信すると、前記第２の受信部で前記応答信号が受信されたか否かを判定する第２の判定部と、
前記第２の判定部において、前記第２の受信部で前記応答信号が受信されないと判定されると、前記第２の記憶部に記憶された前記電力制御データを用いて前記分配部を制御する第２の制御部と、
を備えることを特徴とする電力制御システム。
【発明の詳細な説明】
【技術分野】
【０００１】
本発明は、予備制御装置、予備制御方法、および電力制御システムに関する。
【背景技術】
【０００２】
近年、電気自動車（ＥＶ）やプラグインハイブリッド車（ＰＨＶ）等の車両が用いられるようになり、その車両を充電するための給電装置が普及してきている。そして、給電装置を複数台設置しているチャージステーションでは、それぞれの給電装置へ供給する電力（以下、充電電力という。）を分配するための電力制御装置が用いられている。
【０００３】
関連技術の電力監視装置は、同じ電子機器を管理する動作中の他の電力管理装置の存在を確認する。そして、自装置以外にも電力管理装置が動作している場合、自装置を含む複数の電力管理装置の中で、所定の１台を親機と認識し、それ以外の電力管理装置を子機と認識する。これにより、電力管理装置を多重化して故障などに対するシステムの耐性を高めると共に、複数の電力管理装置を用いた効率的な機器制御を実現することが提案されている（例えば、特許文献１参照）。
【０００４】
関連技術の電力系統監視制御システムの二重系計算機は、それぞれ端末からの入力情報と、現地系統機器の状態監視データとを取り込む。そして、それぞれの二重系計算機は、取り込んだ入力情報と、状態監視データとをデータ保存領域に保存する。さらにそれぞれの二重系計算機は、保存したデータの特性に応じて、二重書き処理、非同期二重書き処理、定周期差分等価処理を行う。また、それぞれの二重系計算機は、非同期二重書き処理、および定周期差分等価処理では、どちらかの計算機で故障が発生しても他の計算機へ影響が波及しないようにした。これにより、稼働率を向上させるとともに、システム全体のネットワーク負荷を軽減させた監視制御を実現することが提案されている。（例えば、特許文献２参照）。
【０００５】
関連技術の稼働状況モニタリングシステムは、配電線網をＭ個の小配電線網に分割し、各小配電線網に一のコンピュータを割り振り、一のコンピュータにより小配電線網を制御している。また、各コンピュータには二の小配電線網を制御できる処理能力を持たせると共に、コンピュータ間で相互の情報交換可能にされている。そして、各コンピュータは、他のコンピュータの非常時に、自己が担当する小配電線網と共に、他のコンピュータの小配電線網を担当する。これにより、システム全体の信頼性を向上させたモニタリングを実現することが提案されている（例えば、特許文献３参照）。
【０００６】
関連技術の遠隔地ホスト間のデータ等価方式は、自計算機内に記憶されているデータを別計算機に転送する。このデータ等価方式は、データの重要度を定義し、重要度の高いデータを優先的に別計算機に送信して計算機間のデータを等価にする。これにより、自計算機がダウンして別計算機に処理が切り替わっても、システム全体の正常動作を実現することが提案されている（例えば、特許文献４参照）。
【０００７】
関連技術の電力系統監視システムは、常用系電子計算機に対して、故障発生時に切り替り可能な待機系電子計算機を備えている。そして、常用系電子計算機におけるパルス積算情報を待機系電子計算機に引き継ぐ。これにより、電力系統の電力量のパルス計測において、電子計算機の故障発生時にも、正しいパルスの積算を実現することが提案されている（例えば、特許文献５参照）。
【先行技術文献】
【特許文献】
【０００８】
【特許文献１】特開２０１１−１５２０２２号公報
【特許文献２】特開２０１０−１３０７２５号公報
【特許文献３】特開平４−３３５２６号公報
【特許文献４】特開２００３−６０２４号公報
【特許文献５】特開平３−２４４７４号公報
【発明の概要】
【発明が解決しようとする課題】
【０００９】
本発明は、給電装置ごとの充電電力を制御する電力制御装置が故障しても、継続して充電電力を制御することができる予備制御装置、予備制御方法、および電力制御システムを提供することを目的とする。
【課題を解決するための手段】
【００１０】
上述した課題を解決し、目的を達成するため、本発明にかかる予備制御装置は、給電装置ごとに供給する電力を制御する電力制御装置に問合せ信号を送信する送信部と、前記電力制御装置から送信される、前記給電装置ごとに電源から供給される電力を分配する分配部を制御するために用いられる電力制御データと、前記問合せ信号に応答して前記電力制御装置から送信される応答信号とを受信する受信部と、前記受信部で受信した前記電力制御データを記憶する記憶部と、前記送信部から前記問合せ信号を送信すると、前記受信部が前記応答信号を受信されたか否かを判定し、前記受信部で前記応答信号が受信されないと判定すると、前記記憶部に記憶された前記電力制御データを用いて前記分配部を制御する制御部と、を備えることを特徴とする。
【発明の効果】
【００１１】
実施形態によれば、本発明は、給電装置ごとの充電電力を制御する電力制御装置が故障しても、継続して充電電力を制御することができるという効果を奏する。
【図面の簡単な説明】
【００１２】
【図１】実施形態１に係る電力制御システムの一実施例を示す図である。
【図２】実施形態１の図１に示したコンピュータ装置の一実施例を示すブロック図である。
【図３】実施形態１の図１に示した電力制御テーブル、および予備制御テーブルの記憶内容の一実施例を示す説明図である。
【図４】実施形態１に係る電力制御装置の機能的構成を示すブロック図である。
【図５】実施形態１に係る予備制御装置の機能的構成を示すブロック図である。
【図６】実施形態１に係る予備制御装置の電力制御処理手順を示すフローチャートである。
【図７】実施形態２に係る予備制御装置の電力制御処理手順を示すフローチャートである。
【発明を実施するための形態】
【００１３】
以下、図面を参照して、この発明に係る予備制御装置、予備制御方法、および電力制御システムの実施形態１を詳細に説明する。
［実施形態１］
まず、実施形態１に係る予備制御装置、予備制御方法、および電力制御システムの特徴について説明する。
【００１４】
実施形態１に係る電力制御システムは、チャージステーションが有する複数の給電装置ごとに、電源から供給する充電電力を分配する制御（以下、電力制御という。）を行なう電力制御装置を備える。さらに、実施形態１に係る電力制御システムは、電力制御装置が故障したときに、引き続き電力制御を行なうための予備制御装置を備える。
【００１５】
そして、電力制御が開始されると、電力制御装置は、電力制御テーブルに格納された電力制御に用いる電力制御データを変更するごとに、予備制御装置に変更した電力制御データを送信する。予備制御装置は、電力制御データを受信すると、予備制御テーブルに受信した電力制御データを予備制御データとして格納する。
【００１６】
また、電力制御が開始されると、予備制御装置は、電力制御装置に、電力制御装置が故障していないか確認するための問合せ信号を送信する。さらに、予備制御装置は、問合せ信号を送信した後に、問合せ信号に応答して電力制御装置から送信される応答信号を受信したか否かを判定する。そして、予備制御装置は、所定の時間が経過しても応答信号が受信されなかった場合、電力制御装置が故障したと判定し、予備制御テーブルに格納された予備制御データを用いて電力制御をする。
【００１７】
上記の動作を行なうことにより、電力制御をしている電力制御装置が故障しても、予備制御装置が予備制御テーブルに格納されている予備制御データを用いて引き続き電力制御をするので、継続して電力制御を行なうことができる。
＜電力制御システムのシステム構成＞
次に、実施形態１に係る電力制御システムのシステム構成について説明する。
【００１８】
図１は、実施形態１に係る電力制御システムの一実施例を示す図である。なお、図１では、実施形態１に係る電力制御システムを、複数の給電装置を有するチャージステーションに適用した構成を一例として示している。また、図１では、予備制御装置が１台、給電装置が４台、および車両が３台である場合を示しているが、実施形態１において、それぞれの台数は特に限定されるものではない。
【００１９】
図１に示すチャージステーション１は、電力制御システム２と、系統電源３と、分配部４と、給電装置５ａ〜５ｄとを有する。そして、電力制御システム２と、分配部４と、給電装置５ａ〜５ｄとは、電力線通信、ＬＡＮ（Ｌｏｃａｌ  Ａｒｅａ  Ｎｅｔｗｏｒｋ）、無線通信、またはインターネットなどのネットワーク７を介して通信可能に接続されている。また、系統電源３は、分配部４を介して給電装置５ａ〜５ｄに接続されている。これにより、電力制御システム２は分配部４を制御して、給電装置５ａ〜５ｄに車両６ａ〜６ｃが接続されたときに、系統電源３から給電装置５ａ〜５ｄに分配する充電電力を制御する。以下の説明では、給電装置５と記載した場合、給電装置５ａ〜５ｄのいずれか一つを示すものとする。さらに、車両６と記載した場合、車両６ａ〜６ｃのいずれか一つを示すものとする。なお、図１の細線は、信号の送受信に用いる通信線８を示し、太線は電力の送受電に用いる電力線９を示している。なお、通信線８は、ネットワーク７であっても良い。
【００２０】
電力制御システム２は、電力制御装置１０１と、予備制御装置１０４とを有する。そして、電力制御装置１０１と、予備制御装置１０４とは、ネットワーク７を介して通信可能に接続されている。
【００２１】
電力制御装置１０１は、電力制御データを格納する電力制御テーブル１０２と、電力制御テーブル１０２に格納されている電力制御データを用いて、電力制御をする第１の制御部１０３と、を有するコンピュータ装置である。なお、図１において、電力制御装置１０１は独立して設けられているが、給電装置５ａ〜５ｄのいずれかに搭載されていても良い。
【００２２】
予備制御装置１０４は、電力制御装置１０１から受信した電力制御データを予備制御データとして格納する（以下、バックアップ動作という。）予備制御テーブル１０５を備える。さらに、予備制御装置１０４は、予備制御テーブル１０５に格納されている予備制御データを用いて、電力制御をする第２の制御部１０６を有するコンピュータ装置である。なお、図１において、予備制御装置１０４は独立して設けられているが、給電装置５ａ〜５ｄのいずれか一つ以上に搭載されていても良い。
【００２３】
系統電源３は、例えば、電力会社が保有する商用の配電線網から供給される電源である。そして、契約ごとに供給される電力の上限値（最大供給電力値）が決められている。
分配部４には、例えば、機械式リレー、および電磁式リレーなどを用いることができる。そして、分配部４は、電力制御システム２の電力制御装置１０１、または予備制御装置１０４により制御され、分配部４が有するスイッチ素子の状態を切替えることで、系統電源３から入力される電力を分配する。これにより、系統電源３は、分配部４を介して給電装置５ａ〜５ｄごとに指定された充電電力を供給する。なお、以下の説明では、簡単化のため、系統電源３と分配部４とを合わせて電源という。すなわち、電源は、電力制御システム２の電力制御装置１０１、および予備制御装置１０４により制御され、給電装置５ａ〜５ｄごとに指定された充電電力を供給する構成である。
【００２４】
給電装置５ａ〜５ｄには、例えば、充電スタンドなどの充電装置を用いることができる。そして、給電装置５は、車両６と接続されると、系統電源３から分配部４を介して入力される充電電力を車両６に供給する。また、給電装置５は、車両６と接続されると車両６と通信を開始する。給電装置５と車両６との接続方式は、充電ケーブルを用いた接触式、または電磁誘導方式や磁界共鳴方式などのコイル間通信を用いた非接触式などが用いられる。なお、給電装置５と車両６との接続方式が接触式のときは、例えば、給電装置５と車両６との間で有線を用いた電力の送受電、および通信信号の送受信が行なわれる。また、給電装置５と車両６との接続方式が非接触式のときは、給電装置５と車両６との間で無線を用いた電力の送受電、および通信信号の送受信が行なわれる。また、給電装置５と車両６との通信に関しては、別に無線装置を備えるようにしても良い。
【００２５】
なお、図１に示した［１］〜［６］は、チャージステーション１内の情報の送受信を示している。この各種制御信号の送受信については、後述する。
＜コンピュータ装置のハードウェア構成＞
次に、図１に示した各コンピュータ装置（電力制御装置１０１、予備制御装置１０４）のハードウェア構成について説明する。
【００２６】
図２は、図１に示したコンピュータ装置の一実施例を示すブロック図である。
図２のコンピュータ装置は、制御部２０１と、記憶部２０２と、読取装置２０３と、記録媒体２０４と、表示装置２０５と、通信インターフェイス２０６（通信Ｉ／Ｆ）と、入出力インターフェイス２０７（入出力Ｉ／Ｆ）と、を備えている。また、各構成要素は、バス２００により接続されている。
【００２７】
制御部２０１には、制御部２０１は、コンピュータ装置全体の制御をする。そして、電力制御装置１０１の制御部２０１は、図１において、第１の制御部１０３として機能する。予備制御装置１０４の制御部２０１は、図１において、第２の制御部１０６として機能する。また、制御部２０１は、例えば、ＣＰＵ、マルチコアＣＰＵ、ＦＰＧＡ（Ｆｉｅｌｄ  Ｐｒｏｇｒａｍｍａｂｌｅ  Ｇａｔｅ  Ａｒｒａｙ）およびＰＬＤ（Ｐｒｏｇｒａｍｍａｂｌｅ  Ｌｏｇｉｃ Ｄｅｖｉｃｅ）などである。
【００２８】
記憶部２０２は、例えば、ＲＯＭ（Ｒｅａｄ  Ｏｎｌｙ  Ｍｅｍｏｒｙ）およびＲＡＭ（Ｒａｎｄｏｍ  Ａｃｃｅｓｓ  Ｍｅｍｏｒｙ）などのメモリや、ＨＤ（Ｈａｒｄ  Ｄｉｓｋ）などである。そして、ＲＯＭは、ブートプログラムなどのプログラムを記憶している。ＲＡＭは、制御部２０１のワークエリアとして使用される。ＨＤは、ＯＳ（Ｏｐｅｒａｔｉｎｇ  Ｓｙｓｔｅｍ）、アプリケーションプログラム、ファームウェアなどのプログラム、および各種データを記憶している。そして、電力制御装置１０１の記憶部２０２は、図１の電力制御テーブル１０２を記憶している。また、予備制御装置１０４の記憶部２０２は、図１の予備制御テーブル１０５を記憶している。なお、ＨＤは、ＨＤＤ（Ｈａｒｄ  Ｄｉｓｋ  Ｄｒｉｖｅ）を介してバス２００に接続され、ＨＤＤが制御部２０１に制御されることにより、データのリード／ライトが行なわれる。
【００２９】
読取装置２０３は、制御部２０１に制御され、着脱可能な記録媒体２０４のデータのリード／ライトを行なう。そして、読取装置２０３は、例えば、ＦＤＤ（Ｆｌｏｐｐｙ  Ｄｉｓｋ  Ｄｒｉｖｅ）、ＣＤＤ（Ｃｏｍｐａｃｔ  Ｄｉｓｃ  Ｄｒｉｖｅ）、ＤＶＤＤ（Ｄｉｇｉｔａｌ  Ｖｅｒｓａｔｉｌｅ  Ｄｉｓｋ  Ｄｒｉｖｅ）、ＢＤＤ（Ｂｌｕ−ｒａｙ  Ｄｉｓｋ  Ｄｒｉｖｅ：登録商標）およびＵＳＢ（Ｕｎｉｖｅｒｓａｌ  Ｓｅｒｉａｌ  Ｂｕｓ）などである。
【００３０】
記録媒体２０４は、読取装置２０３を介してバス２００に接続され、制御部２０１が読取装置２０３を制御することにより、データのリード／ライトが行なわれる。そして、記録媒体２０４は、例えば、ＦＤ（Ｆｌｏｐｐｙ  Ｄｉｓｋ）、ＣＤ（Ｃｏｍｐａｃｔ  Ｄｉｓｃ）、ＤＶＤ（Ｄｉｇｉｔａｌ  Ｖｅｒｓａｔｉｌｅ  Ｄｉｓｋ）、ＢＤ（Ｂｌｕ−ｒａｙ  Ｄｉｓｋ：登録商標）、およびフラッシュメモリなどである。
【００３１】
表示装置２０５は、バス２００に接続され、制御部２０１に制御されることにより、各種情報を表示する。そして、表示装置２０５は、例えば、ＣＲＴ（Ｃａｔｈｏｄｅ  Ｒａｙ  Ｔｕｂｅ）、ＬＣＤ（Ｌｉｑｕｉｄ  Ｃｒｙｓｔａｌ  Ｄｉｓｐｌａｙ）、ＰＤＰ（Ｐｌａｓｍａ  Ｄｉｓｐｌａｙ  Ｐａｎｅｌ）およびＯＥＬＤ（Ｏｒｇａｎｉｃ  Ｅｌｅｃｔｒｏｌｕｍｉｎｅｓｃｅｎｃｅ  Ｄｉｓｐｌａｙ）などである。
【００３２】
通信インターフェイス２０６は、ＬＡＮ、およびインターネットなどのネットワーク７を介して、コンピュータ装置と他の装置とを通信可能に接続する。そして、通信インターフェイス２０６は、例えば、モデムやＬＡＮアダプタなどである。
【００３３】
入出力インターフェイス２０７は、例えば、キーボード、マウス、タッチパネル、スキャナ、およびプリンタなどと接続され、接続された装置で入力された情報を受信し、バス２００を介して制御部２０１に出力する。また、入出力インターフェイス２０７は、制御部２０１から出力された情報がバス２００を介して入力されると、接続された各種装置にその情報を出力する。
＜電力制御テーブルの記憶内容＞
次に、図１に示した電力制御テーブル１０２の記憶内容について説明する。
【００３４】
図３は、図１に示した電力制御テーブル、および予備制御テーブルの記憶内容の一実施例を示す説明図である。なお、電力制御テーブル３０１〜３０５は、電力制御テーブル１０２の時系列の変化を表している。以下の説明においては、電力制御データとして、最大供給電力値Ａと、充電電力値１〜４とを示すが、特に限定されるものではない。電力制御データとして、車種情報などの電力制御に必要な他のデータ（以下、他の電力制御データという。）を設定しても良い。また、他の電力制御データを設定した場合、設定された他の電力制御データも電力制御テーブル３０１〜３０５に格納しても良い。なお、他の電力制御データの一例として示した車種情報とは、給電装置５に接続されている車両６の種類であり、充電規格としてモード１．２．３のいずれかを示す情報を含んでいても良い。この車種情報は、給電装置５に車両６が接続された（接触式、または非接触式で接続。）ときに、給電装置５が車両６から取得する情報であり、給電装置５からネットワーク７を介して送信される。そして、給電装置５から送信された車種情報は、電力制御装置１０１に受信されると、電力制御テーブル１０２に格納される。
【００３５】
電力制御テーブル１０２には、電力制御テーブル３０１に示すように、電力制御データとして、最大供給電力値Ａと、充電電力値１〜４とが格納されている。そして、電力制御テーブル１０２は、電力制御データが入力されるごとに、入力された電力制御データを格納する。これにより、電力制御テーブル３０１〜３０５のように格納されている最大供給電力値Ａと、充電電力値１〜４との値が変化する。
【００３６】
最大供給電力値Ａとは、系統電源３から供給可能な最大の電力の値であり、例えば、電力会社との契約で決められる値である。そして、最大供給電力値Ａは、電力制御装置１０１の通信インターフェイス２０６、または入出力インターフェイス２０７などを介して電力制御装置１０１に入力され、電力制御テーブル１０２に格納される。
【００３７】
充電電力値１〜４とは、それぞれ給電装置５ａ〜５ｄに分配される充電電力の値である。なお、図１において給電装置５が４台であるので、図３は、図１に対応させて充電電力値を４つ設定しているが、給電装置５の台数に合わせて充電電力値の格納数を適宜設定すると良い。
＜予備制御テーブルの記憶内容＞
次に、図３を参照して、図１に示した予備制御テーブル１０５の記憶内容について説明する。なお、予備制御テーブル３０６〜３１０は、予備制御テーブル１０５の時系列の変化を表している。以下の説明においては、予備制御データとして、最大供給電力値Ｂと、１′〜４′とを示すが、特に限定されるものではない。予備制御データとして、車種情報などの電力制御に必要な他のデータ（以下、他の予備制御データという。）を設定しても良い。また、他の予備制御データを設定した場合、設定された他の予備制御データも予備制御テーブル３０６〜３１０に格納しても良い。より具体的には、予備制御装置１０４は、電力制御装置１０１から送信される他の電力制御データを受信し、受信した電力制御データを他の予備制御データとして予備制御テーブル３０６〜３１０に格納する。
【００３８】
予備制御テーブル１０５には、予備制御テーブル３０８に示すように、予備制御データとして、最大供給電力値Ｂと、充電電力値１′〜４′とが格納されている。この最大供給電力値Ｂと、充電電力値１′〜４′とは、それぞれ電力制御データの最大供給電力値Ａと、充電電力値１〜４とをバックアップした値である。また、予備制御装置１０４は、電力制御装置１０１が電力制御テーブル１０２の値を変更するごとに送信する電力制御データを受信し、予備制御テーブル１０５に受信した電力制御データを予備制御データとして格納する。これにより、予備制御テーブル１０５は、予備制御テーブル３０６〜３１０に示すように格納されている値が変化する。
＜チャージステーションで行なわれる情報の送受信＞
図１を参照して、チャージステーションで行なわれる情報の送受信を説明する。電力制御テーブル１０２と、予備制御テーブル１０５とに格納されている電力制御データ（一例として、最大供給電力値Ａ、充電電力値１〜４を示す。）と予備制御データ（一例として、最大供給電力値Ｂ、および充電電力値１′〜４′を示す。）の変化について説明する。以下の説明では、説明の簡単化のため、予備制御装置１０４の起動時には、予備制御テーブル３０６に示すように予備制御データが格納されていないものとする。
【００３９】
図１に示す［１］〜［６］はそれぞれ以下の情報の流れを示す。
［１］は、最大供給電力値Ａである。そして、矢印で示すように、最大供給電力値Ａ（電力制御データ）は、電力制御装置１０１が電力制御テーブル１０２に格納されている最大供給電力Ａを変更するごとに、電力制御装置１０１から予備制御装置１０４に送信される。また、予備制御装置１０４は、最大供給電力値Ａを受信すると、予備制御テーブル１０５に格納されている最大供給電力値Ｂ（予備制御データ）を書き換える。
【００４０】
［２］は、充電電力値１〜４である。そして、矢印で示すように、充電電力値１〜４（電力制御データ）は、電力制御装置１０１から予備制御装置１０４に送信される。なお、電力制御装置１０１は、変更のあった充電電力値だけ予備制御装置１０４に送信しても良い。また、電力制御装置１０１は、充電電力値１〜４のいずれか一つ、またはいくつかに変更があった場合、一度に全ての充電電力値１〜４を予備制御装置１０４に送信しても良い。そして、予備制御装置１０４は、充電電力値１〜４を受信すると、予備制御テーブル１０５に格納されている充電電力値１′〜４′（予備制御データ）を書き換える。
【００４１】
［３］は、問合せ信号を示す。問合せ信号は、予備制御装置１０４から電力制御装置１０１に、一定の時間間隔ごとに送信される信号であり、電力制御装置１０１が正常に動作中であるか否かを問合せるための信号である。そして、矢印で示すように、予備制御装置１０４から電力制御装置１０１に送信される。
【００４２】
［４］は、応答信号を示す。応答信号は、電力制御装置１０１が問合せ信号を受信すると、電力制御装置１０１から予備制御装置１０４に送信される信号である。そして、矢印で示すように、電力制御装置１０１から予備制御装置１０４へ送信される。また、応答信号は、電力制御装置１０１が正常に動作していないとき、および停止中には送信されない。以下の説明においては、電力制御装置１０１が正常に動作していないとき、および停止中のことを説明の簡単化のため故障、または停止中という。
【００４３】
［５］は、電力指示値１〜４を表す。この電力指示値１〜４は、電力制御テーブル１０２に格納されている充電電力値１〜４に基づく電力を各給電装置５に送電するように電源に指示するための信号である。そして、充電電力値１〜４は、電力制御装置１０１から分配部４に送信される。分配部４は、電力指示値１〜４が入力されると、系統電源３からの出力電力を、電力指示値１〜４に基づいて各給電装置５に分配する。また、電力指示値１〜４は、それぞれ対応する給電装置５にも送信され、各給電装置５の図示しない記憶部に格納されても良い。なお、電力指示値１〜４は、それぞれ充電電力値１〜４に対応している。
【００４４】
［６］は、電力指示値１′〜４′を表す。この電力指示値１′〜４′は、予備制御テーブル１０５に格納されている充電電力値１′〜４′に基づく電力を各給電装置５に送電するように電源に指示するための信号である。そして、充電電力値１′〜４′は、予備制御装置１０４から分配部４に出力される。分配部４は、電力指示値１′〜４′が入力されると、系統電源３からの出力電力を、電力指示値１′〜４′に基づいて各給電装置５に分配する。また、電力指示値１′〜４′は、それぞれ対応する給電装置５にも送信され、各給電装置５の図示しない記憶部に格納されても良い。なお、電力指示値１′〜４′は、それぞれ充電電力値１′〜４′に対応している。
＜電力制御テーブルと予備制御テーブルの記憶内容の変化＞
図３を参照して、電力制御テーブル１０２と、予備制御テーブル１０５とに格納されている電力制御データである、最大供給電力値Ａ、充電電力値１〜４、最大供給電力値Ｂ、および充電電力値１′〜４′の値の変化について説明する。以下の説明では、説明の簡単化のため、予備制御装置１０４の起動時には、予備制御テーブル３０６に示すように予備制御データが格納されていないものとする。［１］と、［２］とは、図１で説明した［１］の最大供給電力値Ａと、［２］の充電電力値１〜４のことである。
【００４５】
まず、電力制御装置１０１の通信インターフェイス２０６、または図示しない入出力インターフェイス２０７などを介して、電力制御装置１０１の第１の制御部１０３に電力制御開始を示す信号が入力される。すると、第１の制御部１０３は、ネットワーク７を介して予備制御装置１０４に電力制御開始を示す信号を送信する。これにより電力制御システム２による電力制御が開始される。なお、電力制御システム２による電力制御が開始とは、電力制御装置１０１が電力制御開始し、予備制御装置１０４がバックアップ動作開始することを言う。また、電力制御開始を示す信号は、ユーザにより入出力インターフェイス２０７が操作されたとき、またはセンサで車両がチャージステーションに進入したことを検知したときなどに入力されるものである。
【００４６】
そして、電力制御装置１０１は、電力制御装置１０１の通信インターフェイス２０６、または図示しない入出力インターフェイス２０７などを介して入力される電力制御データを電力制御テーブル１０２に格納する。そして、電力制御装置１０１は、最大供給電力値Ａを予備制御装置１０４に送信する（［Ａ］電力制御テーブル３０１→予備制御テーブル３０６参照。）。
【００４７】
予備制御装置１０４は、最大供給電力値Ａを受信すると、予備制御テーブル１０５に最大供給電力値Ａを最大供給電力値Ｂとして格納する。このとき、予備制御テーブル１０５の値は、予備制御テーブル３０６→３０７のように変化する。そして、電力制御装置１０１は、充電電力値１〜４を予備制御装置１０４に送信する（［Ｂ］電力制御テーブル３０２→予備制御テーブル３０７参照。）。
【００４８】
予備制御装置１０４は、充電電力値１〜４を受信すると、予備制御テーブル１０５に充電電力値１〜４を充電電力値１′〜４′として格納する。このとき、予備制御テーブル１０５の値は、予備制御テーブル３０７→３０８のように変化する。また、電力制御装置１０１は、給電装置５ａ〜５ｄに接続されている車両６の台数が変化（３台から４台に変化）すると、給電装置５ａ〜５ｄに割り振る充電電力値１〜４の電力値の合計が、最大供給電力値Ａ以下の値となるように給電装置５ごとに充電電力値を割り振る。図３［Ｃ］においては、電力制御テーブル１０２に格納されている最大供給電力値Ａの値が４［ｋＷ］であり、給電装置５ａ〜５ｄに接続されている車両６の台数が４台なので、４［ｋＷ］／４台＝１［ｋＷ］ずつ各給電装置に充電電力値を割り振る。そして、割り振った充電電力値で電力制御テーブル１０２に格納されている充電電力値１〜４の値それぞれを上書きする（予備制御テーブル３０２→３０３）。電力制御装置１０１は、電力制御テーブル１０２に新たな充電電力値１〜４を格納すると、充電電力値１〜４を再び予備制御装置１０４に送信する（［Ｃ］電力制御テーブル３０３→予備制御テーブル３０８参照。）。なお、上記の充電電力値１〜４の割り振り方は一例であり、充電電力値１〜４の合計が最大供給電力値Ａ以下になれば、適宜好適な値となるように、各給電装置５に充電電力値を割り振っても良い。以下、充電電力値１〜４の割り振り方は同様である。
【００４９】
予備制御装置１０４は、再び充電電力値１〜４を受信すると、充電電力１〜４をそれぞれ充電電力値１′〜４′として、予備制御テーブル１０５に格納されている値を上書きする。このとき、予備制御テーブル値は、予備制御テーブル３０８→３０９のように変化する。また、電力制御装置１０１は、新たな電力制御データが入力されて最大供給電力値Ａを変更すると、最大供給電力値Ａを再び予備制御装置１０４に送信する（［Ｄ］電力制御テーブル３０４→予備制御テーブル３０９参照。）。
【００５０】
予備制御装置１０４は、再び最大供給電力値Ａを受信すると、最大供給電力値Ａを最大供給電力値Ｂとして、予備制御テーブル１０５に格納されている値を上書きする。このとき、予備制御テーブル値は、予備制御テーブル３０９→３１０のように変化する。また、電力制御装置１０１は、給電装置５ａ〜５ｄに接続されている車両６の台数が変化（４台から３台に変化）すると、最大供給電力値Ａ以下の値となるように給電装置５ごとに充電電力値を割り振る。そして、割り振った充電電電力値で電力制御テーブル１０２に格納されている充電電力値１〜４の値を上書きする（予備制御テーブル３０４→３０５）。電力制御装置１０１は、電力制御テーブル１０２に新たな充電電力値１〜４を格納すると、充電電力値１〜４を再び予備制御装置１０４に送信する（［Ｅ］電力制御テーブル３０５→予備制御テーブル３１０参照。）。
【００５１】
以上のように、電力制御装置１０１は、外部から電力制御データが入力される、または外部の状況により電力制御データを変更するごとに、電力制御テーブル１０２の値を入力された値に書き換える。そして、変化した電力制御データ（最大供給電力値Ａ、および充電電力値１〜４など。）の値を予備制御装置１０４に送信する。予備制御装置１０４は、電力制御装置１０１から変化した電力制御データの値を受信すると、受信した電力制御データの値で予備制御テーブル１０５に格納されている値を書き換える。なお、車種情報などの電力制御に必要な他の電力制御データ、および他の予備制御データをそれぞれ電力制御テーブル１０２、および予備制御テーブル１０４に格納しても良い。この場合には、電力制御装置１０１は、他の電力制御データを変更するごとに、予備制御装置１０４に他の電力制御データを送信する。そして、予備制御装置１０４は、他の電力制御データを受信すると、受信した他の電力制御データを他の予備制御データとして、予備制御テーブル１０５に格納されている他の予備制御データを上書きしても良い。
＜電力制御装置の機能的構成＞
次に、実施形態１に係る電力制御装置１０１の機能的構成について説明する。
【００５２】
図４は、実施形態１に係る電力制御装置の機能的構成を示すブロック図である。
図４において、電力制御装置１０１は、第１の制御部１０３と、第１の判定部４０１と、第１の送信部４０２と、第１の受信部４０３と、電力制御テーブル１０２とを有している。
【００５３】
第１の制御部１０３は、例えば、図２に示す制御部２０１の機能の一部である。そして、通信インターフェイス２０６、または図示しない入出力インターフェイス２０７などを介して入力された電力制御データを電力制御テーブル１０２に格納する。また、第１の制御部１０３は、電力制御テーブル１０２に格納した電力制御データに基づいて電源を制御する。具体的には、第１の制御部１０３が電源の分配部４を制御することで、電力制御テーブル１０２に格納されている充電電力値１〜４の値の電力を、系統電源３から対応する給電装置５に供給させる。さらに、第１の制御部１０３は、給電装置５ａ〜５ｄに接続されている車両６の台数が変化すると、最大供給電力値Ａ以下の値となるように給電装置５ごとに充電電力値を割り振る。また、第１の制御部１０３は、第１の判定部４０１で問合せ信号を受信したと判定すると、電力制御装置１０１が動作中であることを示す応答信号を第１の送信部４０２に出力する。第１の制御部１０３は、電力制御装置１０１が故障している場合、問合せ信号を受信しても応答信号を送信しない。
【００５４】
第１の判定部４０１は、例えば、図２に示す制御部２０１の機能の一部である。そして、第１の送受信部４０２で予備制御装置１０４から送信される問合せ信号を受信したか否かを判定する。
【００５５】
第１の送信部４０２は、例えば、図２に示す通信インターフェイス２０６の機能の一部である。そして、第１の送信部４０２は、第１の制御部１０３から応答信号が入力されると、入力された応答信号を、ネットワーク７を介して予備制御装置１０４に送信する。
【００５６】
第１の受信部４０３は、例えば、図２に示す通信インターフェイス２０６の機能の一部である。そして、予備制御装置１０４から送信される問合せ信号を受信すると、受信した問合せ信号を第１の判定部４０１に出力する。
【００５７】
電力制御テーブル１０２は、例えば、図２に示す記憶部２０２に記憶されている。そして、電力制御テーブル１０２は、最大供給電力値Ａと、充電電力値１〜４とを格納する。
＜予備制御装置の機能的構成＞
次に、実施形態１に係る予備制御装置１０４の機能的構成について説明する。
【００５８】
図５は、実施形態１に係る電力制御装置の機能的構成を示すブロック図である。
図５において、予備制御装置１０４は、第２の制御部１０６と、第２の判定部５０１と、第２の送信部５０２と、第２の受信部５０３と、予備制御テーブル１０５とを有している。
【００５９】
第２の制御部１０６は、例えば、図２に示す制御部２０１の機能の一部である。そして、電力制御データが入力されると、入力された電力制御データを予備制御データとして予備制御テーブル１０５に格納する。また、第２の制御部１０６は、一定時間ごとに問合せ信号を第２の送信部５０２に出力する。また、第２の制御部１０６は、第２の判定部５０１が、問合せ信号に対応する応答信号を受信しなかったと判定すると、電力制御装置１０１が故障していると認識し、予備制御テーブル１０５に格納されている予備制御データを用いて電力制御を開始する。そして、第２の制御部１０６が電源の分配部４を制御することで、予備制御テーブル１０５に格納されている充電電力値１′〜４′の値の電力を、系統電源３から対応する給電装置５に供給させる。その後、チャージステーション１に停止されている車両６の台数が変化し、充電電力値１′〜４′を変化させる場合、第２の制御部１０６は、予備制御テーブル１０５に格納されている最大供給電力値Ｂ以下となるように、充電電力値を給電装置ごとに割り振る。そして、第２の制御部１０６は、割り振った充電電力値１′〜４′の値の電力を、系統電源３から対応する各給電装置５に供給させるように分配部４を制御する。また、第２の制御部１０６は、割り振った充電電力値１′〜４′の値を予備制御テーブル１０５に格納する。さらに、第２の制御部１０６は、通信インターフェイス２０６、または図示しない入出力インターフェイス２０７などを介して入力される電力制御データを予備制御テーブル１０５に格納する。
【００６０】
なお、第２の制御部１０６が問合せ信号を出力する第１の時間間隔は、ユーザにより任意に決定され、予備制御装置１０４の記憶部２０２に格納されているものとする。そして、電力制御システム２による電力制御が開始されると、第２の制御部１０６は、バックアップ動作を開始し、予備制御装置１０４の記憶部２０２に格納されている第１の時間間隔を読み出すことにより、読み出した時間間隔ごとに問合せ信号を出力する。第１の時間間隔の計時手段は、特に限定しないが、第２の制御部１０６が有するＣＰＵなどのクロックをカウントすることで行なっても良いし、別に計時手段を備えても良い。
【００６１】
第２の判定部５０１は、例えば、図２に示す制御部２０１の機能の一部である。そして、第２の判定部５０１は、第２の送受信部５０２で電力制御装置１０１から送信された応答信号を受信したか否かを判定する。なお、応答信号を受信したか否かの判定は、例えば、予備制御装置１０４の記憶部２０２にユーザにより任意に決定された第２の時間間隔（一定時間）を格納しておく。そして、第２の判定部５０１は、第２の制御部１０６が第２の送信部５０２に問合せ信号を出力したときに、予備制御装置１０４の記憶部２０２に格納されている第２の時間間隔を読み出す。これにより、第２の判定部５０１は、第２の制御部１０６が問合せ信号を出力してから第２の時間間隔が経過するまでに、応答信号を受信しなかった場合、応答信号を受信しなかったと判定する。第２の時間間隔の計時手段は、特に限定しないが、第２の制御部１０６が有するＣＰＵなどのクロックをカウントすることで行なっても良いし、別に計時手段を備えても良い。
【００６２】
第２の送信部５０２は、例えば、図２に示す通信インターフェイス２０６の機能の一部である。そして、第２の送信部５０２は、第２の制御部１０６から問合せ信号が入力されると、入力された問合せ信号を、ネットワーク７を介して電力制御装置１０１に送信する。
【００６３】
第２の受信部５０３は、例えば、図２に示す通信インターフェイス２０６の機能の一部である。そして、電力制御装置１０１から送信された応答信号を受信すると、受信した応答信号を第２の判定部５０１に出力する。
【００６４】
予備制御テーブル１０５は、例えば、図２に示す記憶部２０２に記憶されている。そして、予備制御テーブル１０５は、最大供給電力値Ｂと、充電電力値１′〜４′とを格納する。
＜電力制御処理手順＞
実施形態１に係る電力制御装置、および予備制御装置の電力制御処理手順を説明する。
【００６５】
図６は、実施形態１に係る予備制御装置の電力制御処理手順を示すフローチャートである。
まず、電力制御装置１０１の通信インターフェイス２０６、または図示しない入出力インターフェイス２０７などを介して、電力制御装置１０１の第１の制御部１０３に電力制御開始を示す信号が入力される。すると、第１の制御部１０３は、ネットワーク７を介して予備制御装置１０４に電力制御開始を示す信号を送信する。
【００６６】
予備制御装置１０４は、第２の受信部５０３で、電力制御開始を示す信号を受信し、第２の制御部１０６に受信した電力制御開始を示す信号を出力する。そして、第２の制御部１０６は、電力制御を開始する信号が入力されると、バックアップ動作を開始する。
【００６７】
予備制御装置１０４の第２の判定部５０１は、電力制御データを受信したか否かを判定する（Ｓ６０１）。
Ｓ６０１において、電力制御データを受信していないと判定された場合、Ｓ６０３の処理に移行する。
【００６８】
Ｓ６０１において、電力制御データを受信したと判定した場合、受信した電力制御データを予備制御データとして予備制御テーブル１０５に格納する（Ｓ６０２）。
また、第２の制御部１０６は、第２の送信部５０２に問合せ信号を出力する。そして、第２の送信部５０２は、問合せ信号が入力されると、ネットワーク７を介して入力された問合せ信号を電力制御装置１０１に送信する（Ｓ６０３）。
【００６９】
電力制御装置１０１の第１の判定部４０１は、電力制御を行なっている間、電力制御装置１０１の制御部２０１に問合せ信号が入力されたか否かを判定している。そして、第１の判定部４０１において問合せ信号が入力されたと判定されると、電力制御装置１０１の第１の制御部１０３は、応答信号を第１の送信部４０２に出力する。第１の送信部４０２は、ネットワーク７を介して入力された応答信号を予備制御装置１０４に送信する。なお、第１の制御部１０３は、電力制御装置１０１が故障している場合、第１の判定部４０１で問合せ信号が入力されたと判定されても、応答信号を出力しない。
【００７０】
また、第２の判定部５０１は、問合せ信号を電力制御装置１０１に送信すると、第２の時間間隔の間、電力制御装置１０１から応答信号が送信されてくるか否かを判定している（Ｓ６０４）。
【００７１】
Ｓ６０４において、第２の判定部５０１が第２の時間間隔以内に応答信号を受信したと判定した場合、第２の制御部１０６は、電力制御装置１０１が正常に動作していると判定し、Ｓ６０１の処理に移行する。そして、Ｓ６０１〜Ｓ６０４の処理を繰り返し実行する。
【００７２】
Ｓ６０４において、第２の判定部５０１が第２の時間間隔以内に応答信号が受信されなかったと判定した場合、第２の制御部１０６は、予備制御テーブル１０５に格納された予備制御データを用いて電力制御を開始する（Ｓ６０５）。
【００７３】
予備制御装置１０４の電力制御の一例としては、第２の制御部１０６が予備制御テーブル１０５に格納されている充電電力値１′〜４′の電力を、電源から各給電装置５に供給させる制御をする。その後、チャージステーション１が有する各給電装置５に接続されている車両６の台数が変化した場合、第２の制御部１０６は、予備制御テーブル１０５に格納されている最大供給電力値Ａ以下になるように充電電力値１′〜４′を割り振る。そして、第２の制御部１０６は、割り振った充電電力値１′〜４′の電力を、系統電源３から各給電装置５に供給するように分配器４の制御をする。以下、予備制御装置１０４は、この制御を繰り返す。なお、予備制御装置１０４が、電力制御装置１０１の代わりとして動作しているときには、新たな電力制御データは予備制御装置１０４に入力される。そして、予備制御装置１０４は、受信した電力制御データを予備制御データとして予備制御テーブル１０５に格納する。
【００７４】
このように、上述した実施形態１の電力制御システムは、電力制御装置１０１と、予備制御装置１０４とを備える。そして、電力制御装置１０１が正常に動作しているときに、予備制御装置１０４の記憶部２０２に記憶されている予備制御テーブル１０５に、電力制御装置１０１で使用されている電力制御データのバックアップ（予備制御データ）を格納する。これにより、電力制御装置１０１が故障しても、予備制御装置１０４が継続して、各給電装置５に供給する充電電力の制御をすることができる。
【００７５】
また、最大供給電力値Ａは、契約ごとに供給される電力の上限値であるとしたが、ユーザが適宜決定した値でも良い。これにより、例えば、照明の点灯や、洗車機の運転など、チャージステーション１内で給電以外に電力を使用するときに、適宜必要な電力を確保することができる。
【００７６】
また、予備制御装置１０４が、電力制御装置１０１の代わりとして動作したあとにも、予備制御装置１０４から電力制御装置１０１に問合せ信号を送信しても良い。これにより、予備制御装置１０４は、電力制御装置１０１から応答信号を受信したときに、電力制御装置１０１が復旧し、正常に動作を始めたことを検知することができる。電力制御装置１０１が復旧した場合、予備制御装置１０４は、再びＳ６０１〜Ｓ６０４の動作を繰り返しても良い。
【００７７】
上記の説明において、予備制御装置１０４は、最大供給電力値Ａと、充電電力値１〜４とを電力制御装置１０１から受信する例を説明した。これに代えて、予備制御装置１０４は、充電電力値１〜４を受信しなくても良い、この場合、第２の制御部１０６は、電力制御装置１０１が故障したと認識したときに、各給電装置５に供給される充電電力値の合計が、予備制御テーブル１０５に格納されている最大供給電力値Ｂ以下となるように、充電電力値１′〜４′を給電装置５ごとに割り振る。そして、第２の制御部１０６は、給電装置５ごとに対応する充電電力値１′〜４′の電力を供給するように電源を制御する。これにより、予備制御装置１０４は、充電電力値１〜４を電力制御装置１０１から受信しなくても、最大供給電力値Ａ（Ｂ）の範囲内で充電電力値１′〜４′の電力を各給電装置５に分配することができる。
【００７８】
実施形態１において、電力制御の起動時には、予備制御テーブル１０５に最大供給電力値Ｂ、および充電電力値１′〜４′が格納されていないものとして説明した。これに代えて、例えば、予備制御テーブル３０８のように、前回予備制御装置１０４を停止したときに、予備制御テーブル１０５に格納されていた最大供給電力値Ｂ、および充電電力値１′〜４′が記憶してある構成としても良い。この場合、第２の判定部５０１は、予備制御装置１０４の起動時に問合せ信号を送信しても、電力制御装置１０１から問合せ信号に対応する応答信号が受信されなかったとき、電力制御装置１０１が故障、または停止中であると判断する。すると、予備制御装置１０４は、予備制御テーブル３０８に格納された最大供給電力値Ｂ、および充電電力値１′〜４′を利用して電力制御を開始する。これにより、予備制御装置１０４は、電力制御システム２の電力制御が開始されたときに、既に電力制御装置１０１が故障していた場合、予備制御テーブル１０５に予め記憶されている予備制御データを利用して、充電電力を各給電装置５に分配することができる。
【００７９】
また、上記の説明では、予備制御装置１０４は、電力制御開始を示す信号を電力制御装置１０１から受信する構成とした。これに代えて、予備制御装置１０４の通信インターフェイス２０６、または図示しない入出力インターフェイス２０７などを介して、予備制御装置１０４の第２の制御部１０６に直接電力制御開始を示す信号が入力されるようにしても良い。
【００８０】
図６において、Ｓ６０１とＳ６０２、Ｓ６０３とＳ６０４は、並列処理しても良い。
上記の説明では、予備制御装置１０４が１台である場合を例として説明したが、予備制御装置１０４を複数台備えても良い。この場合には、電力制御を行なっている予備制御装置１０４に電力制御装置１０１の役割をさせる。そして、電力制御装置１０１の役割をしている予備制御装置１０４が故障すると、その他の予備制御装置１０４の内、初めに電力制御を開始した予備制御装置１０４が電力制御装置１０１の役割をする。これにより、より電力制御装置１０１の故障に対する耐性を高めることができる。
［実施形態２］
次に実施形態２に係る予備制御装置、予備制御方法、および電力制御システムの特徴について説明する。実施形態２に係る発明は、実施形態１の機能に加えて、電力制御装置１０１が故障し、電力制御装置１０１からの応答信号が受信されなくなったときに、予備制御装置１０４が給電装置５から充電電力値を取得する構成を加えたものである。
【００８１】
実施形態２に係る電力制御システムは、実施形態１の電力制御システムと同じであるが、その機能が異なる。したがって、各構成には、図１に示した記号と同じ符号を付し、追加された機能について詳細に説明する。
【００８２】
給電装置５は、予備制御装置１０４からの要求に応じて、充電電力値を予備制御装置１０４に送信する。具体的には、給電装置５は、充電電力値を測定するための図示しない電力計を有し、予備制御装置１０４から充電電力値の取得要求があった際に、ネットワーク７を介して電力計で読み取った充電電力値を予備制御装置１０４に送信する。または、給電装置５は、充電電力値が変更されるごとに、電力制御装置１０１から変更された充電電力値を受信し、給電装置５の図示しない記憶部に記憶する。そして、給電装置５は、予備制御装置１０４から電力制御データの取得要求があった際に、ネットワーク７を介して給電装置５の記憶部に記憶されている充電電力値を予備制御装置１０４に送信する。
【００８３】
第２の制御部１０６は、第２の判定部５０１において、応答信号が受信されなかったと判定されると、電力制御装置１０１が故障したと認識し、各給電装置５から充電電力値１′〜４′を受信する。そして、受信した充電電力値１′〜４′を用いて、電力制御装置１０１に代わって電力制御を行なう。
＜電力制御処理手順＞
実施形態２に係る電力制御装置、および予備制御装置の電力制御処理手順を説明する。
【００８４】
図７は、実施形態２に係る予備制御装置の電力制御処理手順を示すフローチャートである。なお、実施形態１と同じ処理については、同じ符号を付し説明を省略する。
まず、図６を参照して説明したＳ６０１〜Ｓ６０４を実行し、Ｓ６０４において、応答信号が受信されなかったと判定されると（Ｓ６０４にてＮｏ）、予備制御装置１０４の第２の制御部１０６は、充電電力値を要求する信号を第２の送信部５０２に出力する。そして、第２の送信部５０２は、充電電力値を要求する信号が入力されると、入力された充電電力値を要求する信号を各給電装置５に送信する。これにより、第２の制御部１０６は、各給電装置５から返信される充電電力値を取得する（Ｓ７０１）。なお、図１の構成の場合には、給電装置５ａ〜５ｄから充電電力値が返信されるので、Ｓ７０１で充電電力値１′〜４′を受信することになる。
【００８５】
そして、第２の制御部１０６は、取得した充電電力値１′〜４′を予備制御テーブル１０５に記憶する（Ｓ７０２）。
その後、予備制御テーブル１０５に格納された電力制御データ（最大供給電力値Ｂ、および充電電力値１′〜４′）を用いて電力制御を開始する（Ｓ６０５）。
【００８６】
このように、実施形態２の電力制御システムは、予備制御装置１０４において、電力制御装置１０１が故障したと判定したときに、給電装置５ａ〜５ｄそれぞれに供給されている充電電力の充電電力値を受信する。これにより、電力制御装置１０１から充電電力値を予備制御装置１０４に送信しなくても、予備制御装置１０４は、電力制御装置１０１が故障したときに、電力制御に用いていた充電電力値を取得することができる。すなわち、Ｓ６０１において充電電力値１〜４を受信しなくても良い。したがって、実施形態１と比較して、電力制御装置１０１が通常動作しているときの通信を簡略化することができる。
【００８７】
また、予備制御装置１０４は、電力制御装置１０１が故障したと判定したときに、充電電力値だけでなく、車種情報などを含むその他の電力制御データを受信しても良い。この場合には、各給電装置５は、予備制御装置１０４から電力制御データの取得要求があった際に、ネットワーク７を介して給電装置５から充電電力値とともにその他の電力制御データを予備制御装置１０４に送信する。これにより、Ｓ６０１において他の電力制御データを受信しなくても、予備制御装置１０４は、電力制御装置１０４が故障したときに受信した充電電力値、およびその他の電力制御データを用いて電力制御を行なうことができる。例えば、その他の電力制御データに車種情報が含まれていた場合、予備制御装置１０４は、受信した車種情報から各給電装置５に接続されている車両６の車種と、充電規格などを判定して電力制御をすることができる。
【００８８】
なお、本発明は、以上に述べた実施の形態に限定されるものではなく、本発明の要旨を逸脱しない範囲内で種々の構成または実施形態を取ることができる。
【符号の説明】
【００８９】
１          チャージステーション
２          電力制御システム
３          系統電源
４          分配部
５ａ〜５ｄ  給電装置
６ａ〜６ｃ  車両
７          ネットワーク
８          通信線
９          電力線
１０１      電力制御装置
１０２、３０１〜３０６      電力制御テーブル
１０３      第１の制御部
１０４      予備制御装置
１０５、３０６〜３１０      予備制御テーブル
１０６      第２の制御部
２００      バス
２０１      制御部
２０２      記憶部
２０３      読取装置
２０４      記録媒体
２０５      表示装置
２０６      通信インターフェイス
２０７      入出力インターフェイス
４０１      第１の判定部
４０２      第１の送信部
４０３      第１の受信部
５０１      第２の判定部
５０２      第２の送信部
５０３      第２の受信部
【図１】
2013247756.tif 000003
【図２】
2013247756.tif 000004
【図３】
2013247756.tif 000005
【図４】
2013247756.tif 000006
【図５】
2013247756.tif 000007
【図６】
2013247756.tif 000008
【図７】
2013247756.tif 000009